(57)【要約】【課題】自動販売機に搭載した電池を外気による湿気や飲料の漏れ等の水分から保護しつつ、電池から発生した気体の排気が可能である自動販売機を提供することを目的とする。【解決手段】上記課題を解決するために、本発明の自動販売機は、電池と、外気を吸気しないが排気することができる一方向弁を有し、前記一方向弁以外の部分を密閉構造とした容器とを備え、前記電池は前記容器に格納されていることを特徴とする。これにより、電池を外気による湿気や飲料の漏れ等の水分から保護しつつ、電池から発生した気体の排気が可能である自動販売機を提供することができる。【選択図】図７
2014139705.tif 000002
【特許請求の範囲】
【請求項１】
電池と、
外気を吸気しないが排気することができる一方向弁を有し、前記一方向弁以外の部分を密閉構造とした容器とを備え、
前記電池は前記容器に格納されている
ことを特徴とする自動販売機。
【請求項２】
前記容器は、内部の圧力変化によって変形可能である
ことを特徴とする請求項１に記載の自動販売機。
【請求項３】
前記容器は、素材またはその表面若しくは内面が金属若しくは樹脂であることを特徴とする請求項２に記載の自動販売機。
【請求項４】
前記容器は、素材がアルミニウム又は表面若しくは内面の素材がアルミニウムであることを特徴とする請求項３に記載の自動販売機。
【請求項５】
前記容器は、孔が形成され、前記電池に接続された配線が前記孔から前記容器外に挿通され、前記孔と配線との間の隙間に接着部材が充填され、前記一方向弁以外の部分を密閉構造とした
ことを特徴とする請求項１〜４の何れか１項に記載の自動販売機。
【請求項６】
前記容器は、外気が流入する箇所と連通する連通手段を備えた格納箱に格納されている
ことを特徴とする請求項１〜５の何れか１項に記載の自動販売機。
【請求項７】
前記連通手段が連通用のチューブであり、前記連通用のチューブよりも太径の太径チューブの内部に、前記電池に接続される配線と前記連通用チューブとが配設されている
ことを特徴とする請求項６に記載の自動販売機。
【請求項８】
前記電池は、商品を低温状態で収納する低温収納部に配設されている
ことを特徴とする請求項１〜請求項７の何れか１項に記載の自動販売機。
【請求項９】
前記電池は、充電可能な蓄電池であることを特徴とする請求項１〜８の何れか１項に記載の自動販売機。
【発明の詳細な説明】
【技術分野】
【０００１】
本発明は自動販売機に関し、特に蓄電池などの電池を備えた自動販売機に関する。
【背景技術】
【０００２】
自動販売機において、非常用電源として蓄電池を搭載して、災害の発生などにより商用電源が停電した際に前記蓄電池を使用して、自動販売機内の商品を外部に搬出可能に構成したものが、例えば、特許文献１、２等に開示されている。この種の自動販売機によれば、災害時などに商用電源が停電した時でも、自動販売機内の飲料などの商品を供給することができる。
【先行技術文献】
【特許文献】
【０００３】
【特許文献１】実開平１−６８５７６号公報
【特許文献２】特開平１０−１１６３７９号公報
【発明の概要】
【発明が解決しようとする課題】
【０００４】
しかしながら、蓄電池が外気にさらされている場合や、商品充填時等において一時的に外気が蓄電池の周辺環境に侵入する場合、外気の湿気による水分が蓄電池を腐食し、災害時において蓄電池が正常に動作しないという可能性があった。また、自動販売機内の商品が飲料である場合、その飲料の漏れによる水分が蓄電池を腐食することも考えられる。
【０００５】
これらの水分から蓄電池を保護するためには、例えば、密閉容器内に蓄電池を格納することが考えられる。しかし、密閉型の蓄電池であれば、蓄電池を密閉容器内に格納すればよいが、ニッケル水素蓄電池のように内部の電解液が気化する蓄電池を密閉容器内に格納すると、密閉容器は気化した気体によって内部の圧力が高くなり、破裂する危険性がある。さらに、密閉容器を用いると可燃性ガスが内部に充満する危険性も考えられる。そのため、電解液が気化する畜電池を密閉容器内に格納すると支障をきたす。
【０００６】
本発明は上記課題を解決するもので、自動販売機に搭載した蓄電池などの電池を外気による湿気や飲料の漏れ等の水分から保護しつつ、電池から発生した気体の排気が可能である自動販売機を提供することを目的とするものである。
【課題を解決するための手段】
【０００７】
上記課題を解決するために、本発明の自動販売機は、電池と、外気を吸気しないが排気することができる一方向弁を有し、前記一方向弁以外の部分を密閉構造とした容器とを備え、前記電池は前記容器に格納されていることを特徴とする。
【０００８】
また、前記容器は、内部の圧力変化によって変形可能であることを特徴とする。
【０００９】
また、前記容器は、素材またはその表面若しくは内面が金属若しくは樹脂であることを特徴とする。
【００１０】
また、前記容器は、素材がアルミニウム又は表面若しくは内面の素材がアルミニウムであることを特徴とする。
【００１１】
また、前記容器は、孔が形成され、前記電池に接続された配線が前記孔から前記容器外に挿通され、前記孔と配線との間の隙間に接着部材が充填され、前記一方向弁以外の部分を密閉構造としたことを特徴とする。
【００１２】
また、前記容器は、外気が流入する箇所と連通する連通手段を備えた格納箱に格納されていることを特徴とする。
【００１３】
また、前記容器は外気が連通する箇所と連通する連通手段を備えた格納箱に格納されており、前記連通手段が連通用のチューブであり、前記連通用のチューブよりも太径の太径チューブの内部に、前記電池に接続される配線と前記連通用チューブとが配設されていることを特徴とする。
【００１４】
また、前記電池は、商品を低温状態で収納する低温収納部に配設されていることを特徴とする。
【００１５】
また、前記電池は、充電可能な蓄電池であることを特徴とする。
【発明の効果】
【００１６】
以上のように本発明によれば、自動販売機に搭載された電池を、一方向弁を有し、一方向弁以外の部分を密閉構造とした容器に格納することにより、湿気を含んだ空気が容器内に侵入することを防ぐことができるため、電池を外気による湿気や飲料の漏れによる水分から保護できる。さらに電池から発生した気体を、一方向弁を介して排気することで容器内の圧力が一定値以上上がらないようにできて、容器が破裂する危険性もない。そのため、電池の信頼性、ひいては自動販売機の信頼性を向上させることができる。
【００１７】
また、前記容器は内部の圧力変化によって変形可能に構成することにより、容器の内部圧力が低下した場合に容器の変形によって、内部圧力を調整できる。
【００１８】
例えば、変形しない一定形状の容器を用いると、電池から気体が発生した場合や温度上昇によって容器内の圧力が高くなった場合には、容器内部の気体は一方向弁を介して排気されるため特に問題とはならないが、温度低下によって容器内の圧力が低くなった場合、一定の圧力を越えると一方向弁を逆流して湿気を含んだ空気が容器内に侵入するおそれがある。そのため、外気の湿気による水分等から電池を保護することが困難である。
【００１９】
一方、容器が内部圧力の変化によって変形可能に構成することにより、内部圧力が低下した場合、この容器がしぼむことによって容器内の圧力を調整できるため、気体が一方向弁を逆流することを防止できる。そのため、温度低下によって容器内の圧力が低下した場合であっても、湿気を含んだ空気は容器内に侵入することはなく、湿気による水分等から電池を保護できる。
【００２０】
また、電池を外気の湿気等から保護するためには、電池を格納する容器は防湿性が求められ、さらに前段落で述べたように容器内の圧力低下によってしぼむ柔軟性が求められる。防湿性の面では金属又は樹脂、特にアルミニウムを用いることが適しており、さらに柔軟性を考慮すると、例えば容器をアルミ箔とする場合や容器の表面若しくは内面にアルミ蒸着を施した材料（以下、これらのような容器をアルミ袋という）が容器として適している。電池を保護する容器に、このようなアルミ袋を用いることにより、優れた防湿性及び柔軟性を実現できる。
【００２１】
また、前記容器は、孔が形成され、前記電池に接続された配線が前記孔から前記容器外に挿通され、前記孔と配線との間の隙間に接着部材が充填され、前記一方向弁以外の部分を密閉構造としたことにより、電池を外気の湿気による水分等から保護しつつ、電池の放電、特に電池が充電可能な蓄電池の場合は放電・充電をすることができる。
【００２２】
また、前記容器は外気が連通する箇所と連通する連通手段を備えた格納箱に格納されていること、すなわち電池を容器内に格納し、さらにその容器を格納箱に格納する２重構造とすることによって、より確実に電池を外気の湿気等による水分から保護できる。さらに、電池から発生した気体は容器の一方向弁及び格納箱の連通手段を介して排気されるため、格納箱の内部の圧力が上昇して格納箱が破損したり、格納箱内に可燃性ガスが充満したりする可能性を最小限に抑えることができる。
【００２３】
前記連通手段が連通用のチューブであり、前記連通用のチューブよりも太径の太径チューブの内部に、前記電池に接続される配線と前記連通用チューブとが配設されていることにより、連通用のチューブを電池に接続された配線とまとめて太径チューブによって格納箱から取り出すことができて、構造が簡単となり、製造コストの増加などを最小限に抑えることができる。また、連通用のチューブが太径のチューブによっても保護されるので、配設箇所近傍に板金部などがあった場合でも連通用のチューブが板金部の角部などに接触して損傷することを防止できて、信頼性が向上する。
【００２４】
また、自動販売機に搭載される電池を、商品を低温状態で収納する低温収納部に配設することにより、電池の劣化や自己放電を抑えることができて、電池寿命を長くすることができる。これにより、高価な蓄電池などの電池を殆ど交換しなくても済ますことができて、自動販売機としての維持費を低額に抑えることができるとともに、電池交換のための手間や時間も殆ど不要となる。
【００２５】
また、電池が充電可能な蓄電池の場合は、蓄電池を低温収納部に配設することにより、放電に伴う充電回数も抑えられるので、過充電による電池劣化も減少し、充電回路も簡素化することが可能となり、これにより、自動販売機の製造コストの増加を最小限に抑えることができる。
【図面の簡単な説明】
【００２６】
【図１】本発明の実施の形態に係る自動販売機の斜視図である。
【図２】同自動販売機の前面扉および内扉を開いた状態を示す斜視図である。
【図３】同自動販売機の縦断面図である。
【図４】同自動販売機のブロック図である。
【図５】（ａ）、（ｂ）はそれぞれ同自動販売機の低温収納部の下部に蓄電池（格納箱）を配設した状態を示す図で、（ａ）は要部斜視図であり、（ｂ）は要部平面図である。
【図６】（ａ）、（ｂ）はそれぞれ同自動販売機の格納箱により容器及び蓄電池を格納した状態を示す斜視図で、（ａ）は格納箱蓋体を閉めた状態を示し、（ｂ）は格納箱蓋体を開けた状態を示す。
【図７】（ａ）、（ｂ）はそれぞれ同自動販売機の容器により蓄電池を格納した状態を示す斜視図で、（ａ）は全体図を示し、（ｂ）は密閉用ゴムシート周辺の拡大図を示す。
【図８】同自動販売機の、太径チューブの内部に連通用チューブを配設した状態を示す斜視図である。
【発明を実施するための形態】
【００２７】
以下、本発明の実施の形態に係る自動販売機を、図面に基づき説明する。なお、ここで示す実施の形態はあくまでも一例であって、必ずしもこの実施の形態に限定されるものではない。
【００２８】
図１〜図３に示すように、本発明の実施の形態に係る自動販売機１は、外扉（前面扉）２が開閉自在に支持されている自動販売機本体３の内部（この実施の形態では中央部から上部）に、断熱構造の商品収納庫４が設けられ、商品収納庫４の前面開口部は断熱性を有する内扉５によって開閉可能とされている。
【００２９】
図２に示すように、商品収納庫４の内部（いわゆる庫内）は、断熱性を有する仕切壁１８によって、自動販売機本体３の幅方向（横方向）に対して互いに断熱的に区画された複数（この実施の形態では３つ）の収納部に分けられている。これらの収納部として、冷却状態と加温状態とに切換可能な２つの冷温収納部７、８と、冷却専用の１つの低温収納部９とが設けられている（詳しくは、正面から見て左から１、２列目が冷温収納部７であり、左から３列目が冷温収納部８であり、左から４〜６列目が低温収納部９である）。
【００３０】
なお、図３などにおけるＳは商品で、冷温収納部７、８に収納された商品Ｓは冷却状態または加温状態で販売され、低温収納部９に収納された商品Ｓは常に冷却状態（低温状態、例えば約０℃〜５℃）で販売される。なお、加温商品は冬季や秋季などの寒い季節だけ販売される一方、冷却商品は一年中販売されて販売数が多いため、図２に示すように、低温収納部９は各冷温収納部７、８よりも大きい容積で形成されている。
【００３１】
商品収納庫４（すなわち、冷温収納部７、８や低温収納部９）の内部には、冷凍サイク
ルの蒸発器（または熱交換器）１１やヒータ（図示せず）、送風機１２などの冷却加温装
置や冷却装置が配設され、これらにより内部空気が冷却または加温されることで、商品Ｓ
が間接的に冷却または加温される。
【００３２】
これにより、冷却商品や加温商品などの調温された商品Ｓを当該自動販売機１で販売するよう構成されている。なお、低温収納部９は冷却専用のため、ヒータなどの加温装置は内部に配設されていない。
【００３３】
また、図２、図３における１３は、自動販売機本体３の下部（自動販売機本体３における商品収納庫４の下方）に配設されており、外気が自由に流通する庫外（庫外空間）である。この庫外（庫外空間）１３には、冷凍サイクルの凝縮器（または庫外熱交換器）１４や圧縮機１５、送風機１６などが配設されている。
【００３４】
なお、商品収納庫４（冷温収納部７、８や低温収納部９）内の空気を介して商品Ｓを間接的に調温（冷却・加温）する冷却装置および加温装置からなる調温装置２９（図４参照）は、前記冷凍サイクルで両者とも構成したり、これに代えて、前記冷凍サイクルで冷却装置を構成し、ヒータにより加温装置を構成したりすればよいが、これに限るものではない。
【００３５】
商品収納庫４（冷温収納部７、８や低温収納部９）の上部から中央部にかけては、商品Ｓを蛇行状に積み上げるなどして商品Ｓを収納し、順次下方に搬送する商品搬送路２１が前後および左右に複数列配設されてなる商品収納部（いわゆる商品ストッカ）２２が設けられている。
【００３６】
商品収納部２２の上前端部（商品搬送路２１の上前端部でもある）には、補充開口部６が設けられ、また、最前列以外の商品搬送路２１には、補充開口部６から奥側に続いて斜め下方に傾斜する傾斜導入路２１ａが設けられ、さらに傾斜導入路２１ａの奥端部が、商品搬送路２１の前後に蛇行しながら上下に延びる縦搬送路２１ｂの上端部に接続されている。
【００３７】
商品収納部２２の下部には、商品搬送路２１の下端部に臨んで、下方に搬送されてきた商品Ｓを１つずつ下方へ払い出す商品搬出装置２３がそれぞれ設けられている。商品収納部２２の下方には、商品収納部２２から払い出された商品Ｓを商品取出口１０側に案内するシュート１７が配設され、このシュート１７には調温された空気を通す通気用の孔が多数形成されている。
【００３８】
また、内扉５の下部には、シュート１７に対応して断熱扉が配設された商品通過窓１９が設けられており、シュート１７上に落とされた商品Ｓが商品通過窓１９を通って商品取出口１０に排出される。
【００３９】
図４に示すように、自動販売機は、通常時は商用電源Ａの供給を受けて、制御部２６等が動作して商品Ｓの搬出に伴う商品販売動作が行われるが、災害等により停電したときは蓄電池３３に切り換えられて、制御部２６と商品搬出装置２３のＡＣソレノイド２７などの一部の装置だけが駆動される。本実施の形態では、停電時には蓄電池３３の電力がＤＣ−ＤＣコンバータ３２を介して、いったんキャパシタ２８に蓄電されて、キャパシタ２８の電力により商品搬出装置排出機構のＡＣソレノイド２７を直流で駆動させるよう構成されているが、これに限られるものではない。また、図４において３０は商用電源Ａの停電時等に電源を切替る電源切替え装置、３１は商品Ｓ搬出用の電源をキャパシタ２８に切替える切替スイッチである。なお、制御部２６は図２における制御部収納箱２５内に配設されている。
【００４０】
本実施の形態の自動販売機１では、図５、図６に示すように、蓄電池３３を外部から隔離する容器３４内に格納し、さらに容器３４を格納箱３８に格納する２重構造としており、また、格納箱３８を、商品収納庫４における冷却専用の低温収納部９に配設している。
【００４１】
ここで、蓄電池３３を格納した容器３４及びそれらを格納する格納箱３８の配設場所としては、低温収納部９内であれば特に場所は限定されないが、低温収納部９におけるシュート１７の下方箇所が、配設空間として比較的スペースがあるので好適である。
【００４２】
また、低温収納部９は各冷温収納部７、８よりも大きい容積で形成されているので、格納箱３８を配置しやすい利点もある。より具体的な配設場所としては、例えば、図５に示すように、シュート１７の下方における蒸発器（または熱交換器）１１や送風機１２などの側方箇所など、蒸発器（または熱交換器）１１や送風機１２による空気の流れを阻害しない箇所に配設することが好ましい。
【００４３】
なお、蓄電池３３の容量が大きいなど、格納箱３８の配設スペースとして比較的大きなスペースが必要である場合には、シュート１７から商品収納庫４（低温収納部９）の底面部までの高さ寸法が大きい低温収納部９の下部における後方寄り箇所（図５におけるＥ１やＥ２で示す箇所）が好適であるが、蒸発器（または熱交換器）１１や送風機１２の設置位置などに対応して、図５（ａ）、（ｂ）におけるＥ１〜Ｅ４で示す箇所を選択して配設すればよい。
【００４４】
上記構成によれば、蓄電池３３が低温収納部９に配設されているので、蓄電池３３の劣化や自己放電を抑えることができて、電池寿命を長くすることができる。これにより、高価な電池を殆ど交換しなくても済ますことができて、自動販売機としての維持費を低額に抑えることができるとともに、電池交換のための手間や時間も殆ど不要となる。
【００４５】
一方、低温収納部９は年中、低温に保たれているものの、外扉２が開けられて商品Ｓが補充される際や、メンテナンス等のために下内扉が開けられた場合などに、暖かい外気が低温収納部９内に流入し、その後の冷却動作により低温収納部９内が、水分が高い状態になったり結露水が発生したりするという問題がある。また、飲料の漏れが発生した場合も、商品収納庫４から漏れた飲料による水分がシュート１７の通気用の孔を通って、蓄電池３３と接触して腐食することも考えられる。
【００４６】
そこで、本実施の形態では、図６に示すように、蓄電池３３を容器３４に格納し、さらにその容器３４を格納箱３８に格納するという２重構造としている。これにより、外気が低温収納部９に侵入して、低温収納部９に結露が発生したとしても、湿気を含んだ空気は、格納箱３８と容器３４によって遮られるため、直接畜電池３３に接触することはない。結露による水分や飲料の漏れによる水分もまた、直接畜電池３３に接触することはない。したがって、このような構成によれば、蓄電池３３を長寿命化しつつ、結露等による水分から保護することが可能となる。
【００４７】
また、本実施の形態では蓄電池３３として、ニッケル水素蓄電池を用いている。しかし、ニッケル水素蓄電池は、内部の電解液が気化するため、密閉容器内に格納すると、密閉容器は気化した気体によって内部の圧力が高くなり、破裂する危険性がある。さらに、密閉容器とすると、内部に可燃性ガスが充満するという危険性も考えられる。そのためニッケル水素蓄電池を密閉容器内に格納すると支障をきたす。
【００４８】
そこで、本実施の形態では、図７に示すように、蓄電池３３を格納する容器３４に、吸気しないが排気することができる一方向弁３５を有し、一方向弁３５以外の部分を密閉構造とした容器３４を用いている。さらに、図８に示すように、容器３４を格納する格納箱３８に、外気が流入する箇所と連通する連通手段として、連通用のチューブ３９を備えた格納箱３８を用いている。
【００４９】
この構成により、ニッケル水素蓄電池からなる蓄電池３３より発生した気体は、一方向弁３５を介して容器３４の外部に排気され、さらに連通用のチューブ３９を介して格納箱３８の外部に排気されるため、ニッケル水素蓄電池からなる蓄電池３３より発生した気体により、容器３４や格納箱３８の内部圧力が高くなって、容器３４や格納箱３８が破損することを防止したり、可燃性ガスが容器３４の内部や格納箱３８の内部に充満したりする可能性を最小限に抑えることができる。
【００５０】
また、本実施の形態では畜電池３３を格納する容器３４は、内部の圧力変化によって変形可能であるアルミ袋を用いている。この構成により、容器３４の内部圧力が低下した場合に容器３４の変形によって、内部圧力を調整することができる。
【００５１】
例えば、変形しない一定形状の容器を用いると、蓄電池３３から気体が発生した場合や温度上昇によって容器内の圧力が高くなった場合には、容器内部の気体は一方向弁３５を介して排気されるため特に問題とはならないが、温度低下によって容器内の圧力が低くなった場合、一定の圧力を越えると一方向弁３５を逆流して湿気を含んだ空気が容器内に侵入するおそれがある。そのため、外気の湿気等による水分から蓄電池３３を保護することが困難である。
【００５２】
一方、容器３４を内部圧力の変化によって変形可能に構成することにより、内部圧力が低下した場合、この容器３４がしぼむことによって容器３４の内部圧力を調整できるため、気体が一方向弁３５を逆流することを防止できる。そのため、温度低下によって容器３４の内部圧力が低下した場合であっても、湿気を含んだ空気は容器３４の内部に侵入することはなく、湿気による水分等から畜電池３３を保護できる。
【００５３】
また、蓄電池３３を外気の湿気等から保護するためには、蓄電池３３を格納する容器３４は防湿性が求められ、さらに前段落で述べたように容器３４の内部圧力が低下することよってしぼむ柔軟性が求められる。したがって、防湿性の面では、容器３４として金属又は樹脂、特にアルミニウムを用いることが適しており、さらに柔軟性を考慮すると、アルミ袋が容器３４として適している。蓄電池３３を保護する容器３４に、このようなアルミ袋を用いることにより、優れた防湿性及び柔軟性を実現できる。
【００５４】
また、容器３４は、孔３４ａが形成され、蓄電池３３に接続された配線４２が容器３４の外部に挿通され、孔３４ａと配線４２との間の隙間に接着部材３７が充填され、一方向弁３５以外の部分を密閉構造としている。蓄電池３３の格納方法は図７に示すように、一辺を開放した容器３４に畜電池３３を格納し、孔３６ａを有している密閉用ゴムシート３６を容器３４に設けて電池の配線４２を容器３４の外部に挿通した後に、密閉用ゴムシート３６の孔３６ａをシリコン等の接着部材３７により固め、開放した一辺を密閉機（シーラー）により閉鎖することによって、容器３４の一方向弁３５以外の部分を密閉構造とした。
【００５５】
格納箱３８は、例えば格納箱本体３８ａとこの格納箱本体３８ａの上面開口部を密閉する格納箱蓋体３８ｂと、格納箱本体３８ａと格納箱蓋体３８ｂとを密着させて係止させる密着係止機構３８ｃと、格納箱本体３８ａと格納箱蓋体３８ｂとの接合面に配設されたシリコンなどからなるシール材３８ｄ（パッキンとも称される）などから構成されている。
【００５６】
そして、格納箱本体３８ａ内に蓄電池３３を格納したアルミ袋３４を格納した状態で格納箱蓋体３８ｂを被せて密着係止機構３８ｃで密着状態になった状態で格納できるようになっている。また、格納箱３８には、外気が流入する箇所と連通する連通手段が接続されている。連通手段の具体例の１例としては、ゴム製や合成樹脂製などからなる連通用のチューブ３９が用いられる（図６（ａ）、（ｂ）、図８参照）。
【００５７】
そして、この連通用のチューブ３９の一端部が格納箱３８の内部に開口され、連通用のチューブ３９の他端部が、外気が流通し、かつ雨水や水滴などがかからない箇所に開口するように配設される。なお、連通用のチューブ３９の太さとしては、通気性を有するものであればよく、内径が１ｍｍ以下（例えば０．３〜０．５ｍｍ程度）の細径のものでよい。
【００５８】
また、図８に示すように、電池に接続された配線４２とともに、連通用のチューブ３９よりも太径の太径チューブ４０の内部に連通用のチューブ３９が配設され、これらの配線４２や連通用のチューブ３９を通した配設した太径チューブ４０が、格納箱３８の内部から庫外１３に配設された制御部収納箱２５（図２参照）にわたって配設されている。
【００５９】
すなわち、電池に接続された配線４２は密閉用ゴムシート３６の孔を介して容器３４の外部に挿通され、さらに太径チューブ４０を介して格納箱３８の外部に挿通される。この構成により、外気の湿気等による水分から蓄電池３３を保護しつつ、蓄電池３３の放電・充電が可能となる。
【００６０】
また、格納箱３８の連通手段として連通用のチューブ３９を採用し、この連通用のチューブ３９を、蓄電池３３に接続された配線４２とまとめて太径チューブ４０により格納箱３８から取り出すことで、構造が簡単となり、製造コストの増加を最小限に抑えることができる。また、連通用のチューブ３９が太径チューブ４０によっても保護されるので、配設箇所近傍に板金部などがあった場合でも連通用のチューブ３９が板金部の角部などに接触して損傷することを防止でき、これによっても信頼性が向上する。
【００６１】
なお、上記の実施の形態では、電池として蓄電池３３を用いた場合を述べたが、これに限るものではなく、電池として乾電池などの一次電池であってもよい。なお、蓄電池３３や一次電池としては少なくとも制御部２６を駆動可能な容量を有することが望ましい。
【符号の説明】
【００６２】
１          自動販売機
２          外扉
３          自動販売機本体
４          商品収納庫
６          補充開口部
７、８      冷温収納部
９          低温収納部
１０        商品取出口
１１        蒸発器
１２、１６  送風機
１３        庫外
１４        凝縮器
１５        圧縮機
１７        シュート
１８        仕切壁
１９        商品通過窓
２１        商品搬送路
２１ａ      傾斜導入路
２１ｂ      縦搬送路
２２        商品収納部
２５        制御部収納箱
２６        制御部
２７        ＡＣソレノイド
２８        キャパシタ
２９        調温装置
３０        電源切替え装置
３１        切替スイッチ
３２        ＤＣ−ＤＣコンバータ
３３        蓄電池
３４        容器（アルミ袋）
３５        一方向弁
３６        密閉用ゴムシート
３７        接着部材
３８        格納箱
３９        連通用チューブ
４０        太径チューブ
４２        配線
Ａ          商用電源
Ｓ          商品
【図１】
2014139705.tif 000003
【図２】
2014139705.tif 000004
【図３】
2014139705.tif 000005
【図４】
2014139705.tif 000006
【図５】
2014139705.tif 000007
【図６】
2014139705.tif 000008
【図７】
2014139705.tif 000009
【図８】
2014139705.tif 000010